(57)【要約】【課題】支軸部が意図せず回転しまうおそれが低減されていると共に、支軸部に手指を添えて使用しても、指先に痛みを感じ皮膚を傷めるおそれが低減されている鋏を提供する。【解決手段】一対の鋏片１１，１２が、ボルト２０とナット３０との螺合により形成された支軸部によって組み付けられた鋏１であって、支軸部は、工具と係合させる凹部２５が形成された頭部２１、頭部から延び外周面に雄螺子が形成された軸部２２を備えるボルト、及び、雄螺子と螺合する雌螺子が内周面に形成された筒部３２を備えるナットからなり、軸部より大径で頭部より小径の貫通孔部４５が設けられた底面部４１、底面部の外周縁から立ち上がると共に、内周が頭部より大径の側面部４２を有するスリーブ４０を具備し、スリーブは、貫通孔部に軸部を挿通させ底面部を頭部と一方の鋏片１１との間に介在させた状態で、側面部で頭部を囲繞しており、側面部の上端縁は頭部より高く位置する。【選択図】図３
2013212241.tif 000002
【特許請求の範囲】
【請求項１】
一対の鋏片が、ボルトとナットとの螺合により形成された支軸部によって回動可能に組み付けられた鋏であって、
前記支軸部は、工具と係合させる凹部が形成された頭部、該頭部から延び外周面に雄螺子が形成された軸部を備えるボルト、及び、前記雄螺子と螺合する雌螺子が内周面に形成された筒部を備えるナットからなり、
前記軸部より大径で前記頭部より小径の貫通孔部が設けられた底面部、該底面部の外周縁から立ち上がると共に、内周が前記頭部より大径の側面部を有するスリーブを具備し、
該スリーブは、前記貫通孔部に前記軸部を挿通させ前記底面部を前記頭部と一方の前記鋏片との間に介在させた状態で、前記側面部で前記頭部を囲繞しており、前記側面部の上端縁は前記頭部より高く位置する
ことを特徴とする鋏。
【請求項２】
一対の鋏片が、ボルトとナットとの螺合により形成された支軸部によって回動可能に組み付けられた鋏であって、
前記支軸部は、工具と係合させる凹部が形成された頭部、該頭部から延び内周面に雌螺子が形成された筒部を備えるナット、及び、前記雌螺子と螺合する雄螺子が外周面に形成された軸部を備えるボルトからなり、
前記筒部より大径で前記頭部より小径の貫通孔部が設けられた底面部、該底面部の外周縁から立ち上がると共に、内周が前記頭部より大径の側面部を有するスリーブを具備し、
該スリーブは、前記貫通孔部に前記筒部を挿通させ前記底面部を前記頭部と一方の前記鋏片との間に介在させた状態で、前記側面部で前記頭部を囲繞しており、前記側面部の上端縁は前記頭部より高く位置する
ことを特徴とする鋏。
【請求項３】
前記側面部は、外周面の上部から前記上端縁を経て内周面の上部に至るまで、連続的に湾曲している
ことを特徴とする請求項１または請求項２に記載の鋏。
【発明の詳細な説明】
【技術分野】
【０００１】
本発明は、一対の鋏片がボルトとナットとで組み付けられた鋏に関するものである。
【背景技術】
【０００２】
鋏には、文房具用の鋏のように一対の鋏片が支軸部によって分離不能に組み付けられているものもあるが、理美容用の鋏などでは、刃部のメンテナンスや鋏片同士の締結具合の調整のために、支軸部がボルトとナットによって構成されて分離可能となっている。このような鋏として、従来、図５に例示するように、「自在ネジ」と称される支軸部を備えている鋏１０１が存在する。これは、ナット１１１の外側面に縦目、綾目などの溝付け加工（ローレット加工）が施されており、使用者が手指でナットを回し、締結具合を調整できるものである。
【０００３】
しかしながら、このようなナット１１１は、手指で回転させる操作のために鋏片１１０の表面から大きく突出させているため、鋏１０１の使用の際に邪魔になることがあった。また、鋏１０１の使用中にナット１１１の外側面の溝に触れることにより、意図せずナット１１１が回ってしまい、調整した締結具合が狂ってしまうことがあった。特に、美容師や理容師は複数本の鋏を使い分けるために、腰に装着したシザーケースに鋏を頻繁に出し入れする。その際、鋏片１１０の表面から大きく突出したナット１１１がシザーケースの縁にぶつかり、ナット１１１が意図せず回ってしまいやすいものであった。
【０００４】
一方、従来の鋏には、図６に例示するように、専用の工具と係合する凹部１３１が形成された頭部１３２を有するボルト１３０と、これと螺合するナット１４０とで支軸部を構成させ、一対の鋏片１２１，１２２を組み付けている鋏１０２が存在する。このような鋏１０２では、鋏片１２１表面からの頭部１３２の突出量を抑えることが可能であるため、邪魔になりにくいという利点を有する。また、専用の工具で回転させるボルト１３０は、頭部１３２に触れても意図せず回転してしまうおそれが低いため、調整した締結具合が保持されやすい。
【０００５】
しかしながら、このようなボルト１３０では、工具で回転させる際に、工具と係合する凹部１３１の縁に不可避的にバリが生成する。ところが、美容師や理容師の中には、鋏の開閉操作を安定させるために、支軸部に人指し指を添えた状態で鋏を使用する人がいる。そのため、工具との係合により生成したバリによって、指先に痛みを感じ皮膚を傷めるおそれがあった。特に、美容師や理容師は一日に何度も洗髪をするなど、指先が湯水でふやけて柔らかくなっていることが多いため、微小なバリであっても指先に痛みを感じやすく、皮膚も傷めやすいものであった。
【発明の概要】
【発明が解決しようとする課題】
【０００６】
そこで、本発明は上記の実情に鑑み、支軸部が意図せず回転しまうおそれが低減されていると共に、支軸部に手指を添えて使用しても、指先に痛みを感じるおそれや皮膚を傷めるおそれが低減されている、鋏の提供を課題とするものである。
【課題を解決するための手段】
【０００７】
上記の課題を解決するため、本発明にかかる鋏は、「一対の鋏片が、ボルトとナットとの螺合により形成された支軸部によって回動可能に組み付けられた鋏であって、前記支軸部は、工具と係合させる凹部が形成された頭部、該頭部から延び外周面に雄螺子が形成された軸部を備えるボルト、及び、前記雄螺子と螺合する雌螺子が内周面に形成された筒部を備えるナットからなり、前記軸部より大径で前記頭部より小径の貫通孔部が設けられた底面部、該底面部の外周縁から立ち上がると共に、内周が前記頭部より大径の側面部を有するスリーブを具備し、該スリーブは、前記貫通孔部に前記軸部を挿通させ前記底面部を前記頭部と一方の前記鋏片との間に介在させた状態で、前記側面部で前記頭部を囲繞しており、前記側面部の上端縁は前記頭部より高く位置する」ものである。
【０００８】
「工具と係合させる凹部」としては、工具の突起と係合させる円形または円弧状断面を有する凹部、マイナスドライバーやプラスドライバーと係合する直線的な溝状の凹部を例示することができる。
【０００９】
上記構成では、ナットとの螺合により支軸部を構成するボルトの頭部は、スリーブの側面部によって囲繞されているため、外部と接触しない。そして、工具を使用して回転させない限り、ボルトは回転しない。これにより、意図せず支軸部が回転しまうおそれが低減され、調整された支軸部の締結具合が保持されやすい。
【００１０】
また、ボルトの頭部を囲繞する側面部の上端縁はボルトの頭部より高く位置するため、支軸部に添える指先を、ボルトの頭部ではなく側面部の上端縁で支持することができる。これにより、支軸部に添える指先はボルトの頭部には接触しないため、工具との係合によって凹部の縁にバリが生成したとしても、そのバリによって指先の皮膚を傷めるおそれや、痛みを感じるおそれが低減される。
【００１１】
本発明にかかる鋏は、上記構成に替えて、「一対の鋏片が、ボルトとナットとの螺合により形成された支軸部によって回動可能に組み付けられた鋏であって、前記支軸部は、工具と係合させる凹部が形成された頭部、該頭部から延び内周面に雌螺子が形成された筒部を備えるナット、及び、前記雌螺子と螺合する雄螺子が外周面に形成された軸部を備えるボルトからなり、前記筒部より大径で前記頭部より小径の貫通孔部が設けられた底面部、該底面部の外周縁から立ち上がると共に、内周が前記頭部より大径の側面部を有するスリーブを具備し、該スリーブは、前記貫通孔部に前記筒部を挿通させ前記底面部を前記頭部と一方の前記鋏片との間に介在させた状態で、前記側面部で前記頭部を囲繞しており、前記側面部の上端縁は前記頭部より高く位置する」ものとすることができる。
【００１２】
上記構成では、ボルトとの螺合により支軸部を構成するナットの頭部は、スリーブの側面部によって囲繞されているため、外部と接触しない。そして、工具を使用して回転させない限り、ナットは回転しない。これにより、意図せず支軸部が回転しまうおそれが低減され、調整された支軸部の締結具合が保持されやすい。
【００１３】
また、ナットの頭部を囲繞する側面部の上端縁はナットの頭部より高く位置するため、支軸部に添える指先を、ナットの頭部ではなく側面部の上端縁で支持することができる。これにより、支軸部に添える指先はナットの頭部に接触しないため、工具との係合によって凹部の縁にバリが生成したとしても、そのバリによって指先の皮膚を傷めるおそれや、痛みを感じるおそれが低減される。
【００１４】
本発明にかかる鋏は、上記構成に加え、「前記側面部は、外周面の上部から前記上端縁を経て内周面の上部に至るまで、連続的に湾曲している」ものとすることができる。
【００１５】
上記構成では、スリーブの側面部の上部には、外周面から上端縁を経て内周面に至るまで角部が存在しない。換言すれば、支軸部に添える指先を支持する部分に角部が存在しない。これにより、滑らかな感触で、スリーブの上端縁に指先を添えることができる。
【発明の効果】
【００１６】
以上のように、本発明の効果として、支軸部が意図せず回転しまうおそれが低減されていると共に、支軸部に手指を添えて使用しても、指先に痛みを感じるおそれや皮膚を傷めるおそれが低減されている、鋏を提供することができる。
【図面の簡単な説明】
【００１７】
【図１】本発明の第一実施形態の鋏の分解斜視図である。
【図２】図１の鋏における支軸部の要部斜視図である。
【図３】図１の鋏における支軸部近傍の断面図である。
【図４】本発明の第二実施形態の鋏における支軸部近傍の断面図である。
【図５】従来の鋏における支軸部近傍の斜視図である。
【図６】他の従来の鋏の分解斜視図である。
【発明を実施するための形態】
【００１８】
以下、本発明の第一実施形態である鋏１について、図１乃至図３を用いて説明する。なお、本実施形態では、美容師や理容師が使用する理美容用の鋏に本発明を適用した場合を例示する。
【００１９】
第一実施形態の鋏１は、一対の鋏片１１，１２が、ボルト２０とナット３０との螺合により形成された支軸部によって回動可能に組み付けられた鋏１であって、支軸部は、工具と係合させる凹部２５が形成された頭部２１、頭部２１から延び外周面に雄螺子が形成された軸部２２を備えるボルト２０、及び、雄螺子と螺合する雌螺子が内周面に形成された筒部３２を備えるナット３０からなり、軸部２２より大径で頭部２１より小径の貫通孔部４５が設けられた底面部４１、底面部４１の外周縁から立ち上がると共に、内周が頭部２１より大径の側面部４２を有するスリーブ４０を具備し、スリーブ４０は、貫通孔部４５に軸部２２を挿通させ底面部４１を頭部２１と一方の鋏片１１との間に介在させた状態で、側面部４２で頭部２１を囲繞しており、側面部４２の上端縁は頭部２１より高く位置するものである。
【００２０】
より詳細に説明すると、ボルト２０の頭部２１は外周が軸部２２より大径の円板状であり、工具の突部と係合させる凹部２５が、軸部２２の軸心に対して等角度間隔で４箇所形成されている。本実施形態では、凹部２５の側周面の形状は、軸心側が円弧となったＵ字状とされている。
【００２１】
スリーブ４０において、底面部４１は円板状であり、中央に円形でボルト２０の軸部２２より大径の貫通孔部４５が穿設されている。側面部４２は、底面部４１の外周縁から上方に延びた円筒状であり、その内径は底面部４１側から上端縁まで一定で、ボルト２０の頭部２１より大径である。また、側面部４２の上端縁は、図３に示すように、ボルト２０の頭部２１の上面より長さｈ分、高い位置となっている。更に、側面部４２は、図３に拡大して示すように、外周面の上部から上端縁を経て内周面の上部に至るまで、連続的になだらかに湾曲している。
【００２２】
一方、ナット３０は、筒部３２より大径の円板状のナット頭部３１を備えている。なお、本実施形態では、筒部３２は、ナット頭部３１から延びる円柱部３６と、円柱部３６から延設された角柱部３５とを有しており、その内部に雌螺子が形成されている。また、一対の鋏片１１，１２のうち、一方の鋏片１１には角柱部３５を挿通可能な矩形の軸孔１５が穿設されており、他方の鋏片１２には円柱部３６を挿通可能な円形の軸孔１６が穿設されている。このような構成により、ボルト２０とナット３０の螺合により構成された支軸部に対して、鋏片１１が周り止めされ、鋏片１２のみが支軸部周りに回動するため、ボルト２０とナット３０のゆるみが抑制される。
【００２３】
上記構成の鋏１では、ボルト２０の頭部２１は、スリーブ４０の側面部４２によって囲繞されているため、頭部２１が外部と接触せず、工具を使用して回転させない限り、ボルト２０は回転しない。これにより、本実施形態の鋏１では、意図せず支軸部が回転しまうおそれが低減されており、調整された支軸部の締結具合が保持されやすい。
【００２４】
また、ボルト２０の頭部２１を囲繞する側面部４２の上端縁は、頭部２１より高く位置するため、支軸部に添える指先を、頭部２１ではなく側面部４２の上端縁で支持することができる。これにより、支軸部に添える指先は頭部２１に接触しないため、工具との係合によって凹部２５の縁にバリが生成したとしても、そのバリによって指先の皮膚を傷めるおそれや、痛みを感じるおそれが低減されている。
【００２５】
特に、本実施形態では、スリーブ４０の側面部４２の上部が、外周面から上端縁を経て内周面に至るまでなめらかに湾曲しており、角部が存在しないため、滑らかな感触でスリーブ４０の上端縁に指先を添えることができる。
【００２６】
加えて、ボルト２０の頭部２１と鋏片１１の表面との間に、スリーブ４０の底面部４１が位置するため、底面部４１がワッシャとして作用し、ボルト２０とナット３０のゆるみが有効に低減される。
【００２７】
次に、第二実施形態の鋏２について、図４を用いて説明する。鋏２は、一対の鋏片１１，１２が、ボルト６０とナット５０との螺合により形成された支軸部によって回動可能に組み付けられた鋏２であって、支軸部は、工具と係合させる凹部５５が形成された頭部５１、頭部５１から延び内周面に雌螺子が形成された筒部５２を備えるナット５０、及び、雌螺子と螺合する雄螺子が外周面に形成された軸部６２を備えるボルト６０からなり、筒部５２より大径で頭部５１より小径の貫通孔部４５が設けられた底面部４１、底面部４１の外周縁から立ち上がると共に、内周が頭部５１より大径の側面部４２を有するスリーブ４０を具備し、スリーブ４０は、貫通孔部４５に筒部５２を挿通させ底面部４１を頭部５１と一方の鋏片１１との間に介在させた状態で、側面部４２で頭部５１を囲繞しており、側面部４２の上端縁は頭部５１より高く位置するものである。
【００２８】
また、鋏２において、スリーブ４０の側面部４２は、外周面の上部から上端縁を経て内周面の上部に至るまで、連続的に湾曲している。
【００２９】
上記構成の鋏２が第一実施形態の鋏１と相違する点は、工具と係合させる凹部が形成された頭部を備える構成が、鋏１ではボルト２０であったのに対し、鋏２ではナット５０であり、ナット５０の筒部５２にボルト６０の軸部６２を螺合させた上で、スリーブ４０の底面部４１の貫通孔部４５に挿通させる点である。なお、第二実施形態のスリーブ４０は、第一実施形態のスリーブ４０と同一の構成である。
【００３０】
また、本実施形態におけるナット５０の頭部５１は、第一実施形態のボルト２０の頭部２１と同様に円板状であり、頭部２１が備えている凹部２５と同一形状の凹部５５を同数備えている。なお、ナット５０の筒部５２は、頭部５１から延びる角柱部と、角柱部から延設された円柱部を備えるものとすることができ、ボルト６０は、第一実施形態のナット３０の頭部３１と同様に円板状の頭部６１を備えるものとすることができる。
【００３１】
上記構成の鋏２によっても、第一実施形態の鋏１と同様の作用効果を得ることができる。すなわち、ナット５０の頭部５１は、スリーブ４０の側面部４２によって囲繞されているため、頭部５１は外部と接触せず、工具を使用して回転させない限り、ナット５０は回転しない。これにより、本実施形態の鋏２では、意図せず支軸部が回転しまうおそれが低減されており、調整された支軸部の締結具合が保持されやすい。
【００３２】
また、ナット５０の頭部５１を囲繞する側面部４２の上端縁は頭部５１より高く位置するため、支軸部に添える指先を、頭部５１ではなく側面部４２の上端縁で支持することができる。これにより、支軸部に添える指先はナット５０の頭部５１に接触しないため、工具との係合によって凹部５５の縁にバリが生成したとしても、そのバリによって指先の皮膚を傷めるおそれや、痛みを感じるおそれが低減されている。
【００３３】
以上、本発明について好適な実施形態を挙げて説明したが、本発明はこの実施形態に限定されるものではなく、以下に示すように、本発明の趣旨を逸脱しない範囲において、種々の改良及び設計の変更が可能である。
【００３４】
例えば、第一実施形態では、スリーブ４０の貫通孔部４５にボルト２０の軸部２２のみを挿通させる場合を例示したが、これに限定されず、ボルト２０の軸部２２と螺合したナット３０の筒部３２ごと、貫通孔部４５に挿通させるものとすることができる。この場合、貫通孔部４５の大きさは、ボルト２０の軸部２２より大径であることに加え、更にナット３０の筒部３２より大径に設定される。
【００３５】
また、第一実施形態及び第二実施形態では、鋏片１１の表面がスリーブ４０の底面部４１に直接当接している場合を、図示により例示した。これに限定されず、鋏片１１の表面と底面部４１との間に、板バネなどの弾性体を介在させることができる。例えば、鋏片１１の表面において、軸孔１５の周辺部に浅い凹部を形成し、そこに弾性体を配した上で、弾性体の上面にスリーブ４０の底面部４１を当接させることができる。
【符号の説明】
【００３６】
１，２  鋏
１１，１２  一対の鋏片
２０，６０  ボルト
２１，５１  頭部
２２，６２  軸部
２５，５５  凹部
３０，５０  ナット
３２，５２  筒部
４０  スリーブ
４１  底面部
４２  側面部
４５  貫通孔部
【図１】
2013212241.tif 000003
【図２】
2013212241.tif 000004
【図３】
2013212241.tif 000005
【図４】
2013212241.tif 000006
【図５】
2013212241.tif 000007
【図６】
2013212241.tif 000008